(57)【要約】      （修正有）【課題】シール部材の誤装着を防止することが可能なオイルフィルタを提供する。【解決手段】内部にフィルタエレメントが挿入されたケーシング５１と、このケーシング５１に螺合するキャップ５２と、前記ケーシング５１及び前記キャップ５２のうち一方の外周と端部が開口した円筒状をなす他方の内周との間に介在する位置に配され流体の漏洩を抑制するシール部材５４と、前記一方の外周に設けられ、前記ケーシング５１に前記キャップ５２を組み付けた状態で他方の開口端部が当接する当接部、及び、前記シール部材５４を嵌め込むための凹陥部５２４と、前記一方の当接部の周方向に沿って隣接し、または、前記他方の開口端部の少なくとも一部分に設けられ、前記ケーシング５１に前記キャップ５２を組み付けた状態で互いに当接しないように切り欠かれている切欠部５２６とを備えた。【選択図】図２
2015040544.tif 000002
【特許請求の範囲】
【請求項１】
内部にフィルタエレメントが挿入されたケーシングと、
このケーシングに螺合するキャップと、
前記ケーシング及び前記キャップのうち一方の外周と端部が開口した円筒状をなす他方の内周との間に介在する位置に配され流体の漏洩を抑制するシール部材と、
前記一方の外周に設けられ、前記ケーシングに前記キャップを組み付けた状態で他方の開口端部が当接する当接部、及び、前記シール部材を嵌め込むための凹陥部と、
前記一方の当接部の周方向に沿って隣接し、または、前記他方の開口端部の少なくとも一部分に設けられ、前記ケーシングに前記キャップを組み付けた状態で互いに当接しないように切り欠かれている切欠部とを備えたことを特徴とするオイルフィルタ。
【発明の詳細な説明】
【技術分野】
【０００１】
本発明は、車両にて用いられる潤滑油を濾過するオイルフィルタに関する。
【背景技術】
【０００２】
一般的に、内燃機関は、クランクシャフトから回転駆動力の伝達を受けて駆動されるオイルポンプを備えている。オイルポンプは、オイルパンに蓄えられている潤滑油を、ストレーナを介して吸引する。オイルポンプにより吸引された潤滑油は、オイルパンやシリンダブロックの下部に取り付けられたオイルフィルタを通過するときに、フィルタエレメントにより潤滑油内に混入された粉塵等の異物が濾過され除去された上で、内燃機関各部に供給される。
【０００３】
この種のオイルフィルタとして、例えば、フィルタエレメントを交換可能に構成されたものが知られている（例えば、特許文献１を参照）。このオイルフィルタは、端部が開口した円筒状の内周面にねじ部を備えたケーシングと、このケーシングに螺合する外周面にねじ部を備えたキャップと、このキャップ及び前記ケーシングの内部空間に収容されたフィルタエレメントとを主体に構成されたものである。そして、キャップに形成された凹陥部に流体の漏洩を抑制するＯリングを嵌合させることによって、ケーシングとキャップとの間のシール状態が保たれている。
【０００４】
具体的には、このオイルフィルタは、キャップに全周にわたってフランジが形成されており、当該フランジのケーシング側の面が、ケーシングの開口端部に当接することにより、キャップがケーシングに係止される。
【０００５】
ところが、このフランジによって形成された段差部分に、誤ってＯリングを装着してしまうおそれがある。そして、前記段差部分に誤ってＯリングを装着した場合であっても、Ｏリングはケーシングの開口端部とキャップのフランジとの間で挟持され、さほど違和感なく組み付いてしまう。そのため、Ｏリングが正常なシール機能を果たさない状態に配されているにもかかわらず、組付作業者がＯリングの誤装着に気が付かず、運転中にオイル漏れ等の不具合が生じる場合がある。
【０００６】
このような不具合を解消するために、前記特許文献１では、フランジの段差部分に凸部を設けたものが考えられている。すなわち、フランジの段差部分にＯリングが誤装着された状態で、キャップがケーシングに組み付けられると、ケーシングの開口端部がＯリングを押圧して、前記凸部によってＯリングがフランジの外側にはみ出すようになっている。そのため、組付作業者は、Ｏリングの誤装着を視認でき、凹陥部に正しく装着し直すことができる。
【０００７】
しかしながら、上述したものでは、Ｏリングが誤装着された状態でキャップがケーシングに締め込まれるときに、ケーシングの開口端部がＯリングをフランジ側に押圧するにつれて、前記凸部によってＯリングがキャップの外周側へ押し広げられ、Ｏリングに径方向への無理な力が加わる。そのため、Ｏリングを破損してしまい、凹陥部に正しく装着し直す際に、新しいＯリングに取り替える必要が生じる場合もある。
【０００８】
また、キャップに凸部を設けている分、重量が増えて燃費を向上させることが難しくなるだけでなく、凸部形成のための余分な材料も必要となり、コスト低下も難しくなる。
【先行技術文献】
【特許文献】
【０００９】
【特許文献１】特開２０１３−６０８２４号公報
【発明の概要】
【発明が解決しようとする課題】
【００１０】
本発明は、シール部材の誤装着を防止することが可能なオイルフィルタを提供することを所期の目的とする。
【課題を解決するための手段】
【００１１】
本発明のオイルフィルタは、内部にフィルタエレメントが挿入されたケーシングと、このケーシングに螺合するキャップと、前記ケーシング及び前記キャップのうち一方の外周と端部が開口した円筒状をなす他方の内周との間に介在する位置に配され流体の漏洩を抑制するシール部材と、前記一方の外周に設けられ、前記ケーシングに前記キャップを組み付けた状態で他方の開口端部が当接する当接部、及び、前記シール部材を嵌め込むための凹陥部と、前記一方の当接部の周方向に沿って隣接し、または、前記他方の開口端部の少なくとも一部分に設けられ、前記ケーシングに前記キャップを組み付けた状態で互いに当接しないように切り欠かれている切欠部とを備えたことを特徴とする。
【発明の効果】
【００１２】
本発明によれば、シール部材の誤装着を防止することが可能なオイルフィルタを提供することができる。
【図面の簡単な説明】
【００１３】
【図１】本発明の第１実施形態における車両用内燃機関の全体構成を示す図。
【図２】同実施形態のオイルフィルタの組付前の状態を示す分解斜視図。
【図３】同実施形態のオイルフィルタの組付後の状態を示す断面図。
【図４】同実施形態のキャップを示す底面図。
【図５】同実施形態のキャップを示す側面図。
【図６】同実施形態のオイルフィルタの誤った組付後の状態を示す正面図。
【図７】本発明の第２実施形態にかかるオイルフィルタの組付前の状態を示す分解斜視図。
【図８】同実施形態のオイルフィルタの誤った組付後の状態を示す断面図。
【図９】本発明の変形例にかかるキャップを示す底面図。
【発明を実施するための形態】
【００１４】
本発明の第１実施形態を、図面を参照して説明する。図１に、本実施形態における車両用内燃機関の概要を示す。本実施形態における内燃機関は、火花点火式の４ストロークエンジンであり、複数の気筒１（図１には、そのうち一つを図示している）を具備している。各気筒１の吸気ポート近傍には、燃料を噴射するインジェクタ１１を設けている。また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。点火コイルは、半導体スイッチング素子であるイグナイタとともに、コイルケースに一体的に内蔵される。
【００１５】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１６】
排気を排出するための排気通路４は、気筒１内で燃料を燃焼させた結果発生した排気を各気筒１の排気ポートから外部へと導く。この排気通路４上には、排気マニホルド４２及び排気浄化用の三元触媒４１を配置している。
【００１７】
本実施形態の制御装置たるＥＣＵ（Ｅｌｅｃｔｒｏｎｉｃ  Ｃｏｎｔｒｏｌ  Ｕｎｉｔ）０は、プロセッサ、メモリ、入力インタフェース、出力インタフェース等を有したマイクロコンピュータシステムである。
【００１８】
入力インタフェースには、車両の実車速を検出する車速センサから出力される車速信号ａ、クランクシャフトの回転角度及びエンジン回転数を検出するエンジン回転センサから出力されるクランク角信号ｂ、アクセルペダルの踏込量またはスロットルバルブ３２の開度をアクセル開度（いわば、要求負荷）として検出するセンサから出力されるアクセル開度信号ｃ、吸気通路３（特に、サージタンク３３）内の吸気温及び吸気圧を検出する温度・圧力センサから出力される吸気温・吸気圧信号ｄ、車載バッテリの電圧を検出するセンサから出力されるバッテリ電圧信号ｅ、機関の冷却水温を検出する水温センサから出力される冷却水温信号ｆ、吸気カムシャフトまたは排気カムシャフトの複数のカム角にてカム角センサから出力されるカム角信号ｇ等が入力される。
【００１９】
出力インタフェースからは、点火プラグ１２のイグナイタに対して点火信号ｉ、インジェクタ１１に対して燃料噴射信号ｊ、スロットルバルブ３２に対して開度操作信号ｋ等を出力する。
【００２０】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇを入力インタフェースを介して取得し、エンジン回転数を知得するとともに気筒１に充填される吸気量を推算する。そして、それらエンジン回転数及び吸気量等に基づき、要求される燃料噴射量、燃料噴射タイミング（一度の燃焼に対する燃料噴射の回数を含む）、燃料噴射圧、点火タイミングといった各種運転パラメータを決定する。運転パラメータの決定手法自体は、既知のものを採用することが可能である。ＥＣＵ０は、運転パラメータに対応した各種制御信号ｉ、ｊ、ｋを出力インタフェースを介して印加する。
【００２１】
また、ＥＣＵ０は、内燃機関の始動（冷間始動であることもあれば、アイドリングストップからの復帰であることもある）時において、電動機（スタータモータまたはモータジェネレータ）に制御信号ｓを入力し、電動機によりクランクシャフトを回転させるクランキングを行う。クランキングは、内燃機関が初爆から連爆へと至り、エンジン回転数すなわちクランクシャフトの回転速度が冷却水温等に応じて定まる判定値を超えたときに（完爆したものと見なして）終了する。
【００２２】
本実施形態の内燃機関では、オイルパン８に貯留された潤滑油がオイルポンプ（図示せず）で汲み上げられ、オイルフィルタ５を経由してから、機関各部の潤滑等に供されている。オイルフィルタ５は、内燃機関を潤滑する潤滑油内に混入する異物、磨耗粉、カーボン等の異物を取り除いて濾過するためのものであって、オイルパン８やシリンダブロック９の下部に取り付けられる。
【００２３】
図２〜図５に示すように、本実施形態のオイルフィルタ５は、エレメント交換型オイルフィルタ５であって、内部にフィルタエレメント５３が挿入されたケーシング５１と、このケーシング５１に螺合するキャップ５２とを主体に構成されるものである。前記キャップ５２の外周と、端部が開口した円筒状をなす前記ケーシング５１の内周との間に介在する位置には、潤滑油や空気等の流体の漏洩を抑制するシール部材５４が配されている。例えばフィルタエレメント５３の交換等で、キャップ５２をケーシング５１に組み付ける際、または、キャップ５２をケーシング５１から取り外す際には、作業者はレンチ等の工具を用いてキャップ５２を回転させ、ケーシング５１及びキャップ５２間のねじ部５１２、５２２同士を螺合し、または、螺合状態を解除することができるようになっている。
【００２４】
ケーシング５１は、端部が開口した円筒状の内周面５１１にねじ部５１２を備えたものであり、内部空間５１３にフィルタエレメント５３が収容されており、基端側が内燃機関側に形成されたブラケット（図示せず）に取り付けられる。ブラケットは、潤滑油を内燃機関のシリンダブロック９からオイルフィルタ５側へ導入するオイル入口と、フィルタエレメント５３で濾過された潤滑油をシリンダブロック９側へ導出するオイル出口とを備えた通常のものである。ブラケットのオイル入口を経由して流入した潤滑油は、ケーシング５１に設けられた貫通孔５１４を介してフィルタエレメント５３側へ導出される。フィルタエレメント５３は、オイル入口及び貫通孔５１４を順次経由して流入した潤滑油を濾過し、この濾過された潤滑油をオイル出口へ導出するものであって、濾紙を折り曲げて略円筒形状に形成されている。また、ケーシング５１は、先端側に、底面視略円環状をなす開口端部５１５と、この開口端部５１５の内周面５１１に設けられたねじ部５１２（雌ねじ）とを備えており、当該ケーシング５１の先端側にキャップ５２が取り付けられる。
【００２５】
キャップ５２は、前記ケーシング５１と協働して内部空間５２３にフィルタエレメント５３が収容されるものであり、外周面５２１にねじ部５２２を備えており、基端側が前記ケーシング５１の先端側に螺合される。キャップ５２は、外周に、前記ケーシング５１に前記キャップ５２を組み付けた状態で前記ケーシング５１の開口端部５１５が当接する当接部５２５、及び、前記シール部材５４を嵌め込むための凹陥部５２４と、前記当接部５２５の周方向に沿って隣接し前記ケーシング５１に前記キャップ５２を組み付けた状態で互いに当接しないように切り欠かれている切欠部５２６とを備えてなる。詳述すれば、本実施形態のキャップ５２は、基端側から先端側に向かって、外周面５２１に設けられたねじ部５２２（雄ねじ）と、このねじ部５２２より凹設して設けられた前記凹陥部５２４と、前記ねじ部５２２より径方向に突出する前記当接部５２５と、この当接部５２５の周辺部分に設けられる前記切欠部５２６と、基端側の面に前記当接部５２５が形成される縦リブ５２７と、端部に取り付けられるドレンボルト５２８と螺合することによって閉塞されるドレン孔５２９とを備えている。
【００２６】
具体的に説明すれば、ねじ部５２２（雄ねじ）は、外周面５２１に径方向に形成されたもので、前記ケーシング５１の内周面５１１に形成されたねじ部５１２（雌ねじ）と螺合して締結されるものである。
【００２７】
凹陥部５２４は、前記シール部材５４が嵌合される溝状をなすものであり、周方向に沿って連続的に形成されている。
【００２８】
当接部５２５は、前記ケーシング５１の開口端部５１５と当接して回転止めする役割（キャップ５２をケーシング５１にねじ込んで締め付ける際のストッパの役割）を果たすものである。
【００２９】
切欠部５２６は、当接部５２５の周辺部分、具体的には、前記縦リブ５２７に対応しない部分を大きく切り欠いたものである。なお、図４では、従来の段差部分を形成していたフランジ（本実施形態で切り欠かれている部分）を二点鎖線で示している。
【００３０】
縦リブ５２７は、専用工具を用いてキャップ５２を締め付ける際に用いられるものであって、キャップ５２の本体側と直交して外周方向に突出している。本実施形態では、キャップ５２の中心軸に対して対称な周方向の２箇所に、前記縦リブ５２７が設けられており、各縦リブ５２７は、キャップ５２の先端側から基端側に向けて伸びている。
【００３１】
すなわち、本実施形態では、当接部５２５が、円周に沿って連続的に設けられるものではなく、前記縦リブ５２７に対応する２箇所のみに形成されている。これら２箇所の当接部５２５は、キャップ５２の中心軸に対して軸対称に設けられており、周方向に高さ位置がほぼ同一になるように突設されている。当接部５２５は、キャップ５２の本体側と直交して外周方向に突出するフランジであり、一方、切欠部５２６は、キャップ５２の本体側から突出することなく滑らかな形状をなしている。換言すれば、当接部５２５には、前記ケーシング５１の開口端部５１５が係止され前記シール部材５４も載置可能な段差５２０が形成されているが、切欠部５２６には段差が形成されていない。しかして、キャップ５２の外周面５２１のねじ部５２２（雄ねじ）がケーシング５１のねじ部５１２（雌ねじ）に螺入されると、キャップ５２の当接部５２５（縦リブ５２７の基端側の面である軸直交面）が、ケーシング５１の開口端部５１５（先端側の面である軸直交面）に着座して押圧した状態となる。
【００３２】
シール部材５４は、ケーシング５１及びキャップ５２間のオイル漏れを抑制するものであり、例えば、断面視円形で、かつ、平面視円環状をなすＯリングである。このＯリングは、弾性変形可能な合成樹脂により一体に形成された通常のものであり、部材の弾性変形を利用してケーシング５１の接続面であるねじ部５１２とキャップ５２の接続面であるねじ部５２２とをシールする。
【００３３】
このように、本実施形態のオイルフィルタ５は、内部にフィルタエレメント５３が挿入されたケーシング５１と、このケーシング５１に螺合するキャップ５２と、前記キャップ５２の外周と端部が開口した円筒状をなすケーシング５１の内周との間に介在する位置に配され流体の漏洩を抑制するシール部材５４と、前記キャップ５２の外周に設けられ、前記ケーシング５１に前記キャップ５２を組み付けた状態でケーシング５１の開口端部５１５が当接する当接部５２５、及び、前記シール部材５４を嵌め込むための凹陥部５２４と、前記キャップ５２の当接部５２５の周方向に沿って隣接し、前記ケーシング５１に前記キャップ５２を組み付けた状態で互いに当接しないように切り欠かれている切欠部５２６とを備えてなる。
【００３４】
そのため、キャップ５２をケーシング５１に固定する際に、誤って当接部５２５にシール部材５４を載せようとすると、当接部５２５に比べて切欠部５２６が非常に大きく設定されているため、シール部材５４の位置が一意に定まらない。換言すれば、本実施形態では、縦リブ５２７に対応する２箇所以外には当接部５２５を設けていないので、当接部５２５にシール部材５４を載置することが難しく、当接部５２５がシール部材５４の組付位置として誤認されることがなくなる。したがって、組み付け前に作業者にシール部材５４の誤装着を容易に気づかせることができる。
【００３５】
また、仮にシール部材５４を当接部５２５上に誤装着したままキャップ５２をケーシング５１に組み付けてしまった場合には、図６に示すように、キャップ５２の切欠部５２６からシール部材５４がケーシング５１とキャップ５２との間で押し潰されることなく露出する。なお、図６では、わかりやすくするためにシール部材５４にパターンを付して示している。
【００３６】
すなわち、切欠部５２６からシール部材５４が露出するのでシール部材５４が視認可能となるだけでなく、シール部材５４の位置が一意に定まらず、組付作業者にシール部材５４の誤装着を容易に気づかせることができる。しかして、キャップ５２をケーシング５１から外さなくとも、シール部材５４の誤装着状態を確認できる。また、この誤装着状態で試運転を行うと、ケーシング５１とキャップ５２との間からオイル漏れが生じる場合があり、シール部材５４の誤装着に関する不具合が検出されやすくなる。
【００３７】
このように、シール部材５４の誤装着を容易に気づかせることができるので、ケーシング５１とキャップ５２との間のシールを確実なものとでき、オイル漏れ等を抑制できるため、燃費を向上させることができる。
【００３８】
特に、本実施形態では、従来のキャップに凸部を設けたものに比べて、誤装着されたシール部材５４が径方向に引き延ばされることがない。そのため、誤装着によるシール部材５４の損傷を有効に防止することができる。
【００３９】
さらに、本実施形態は、縦リブ５２７のケーシング５１側の面に当接部５２５を設けたので、当接部５２５の面積が比較的小さいにもかかわらず、縦リブ５２７によって剛性が担保され、キャップ５２のケーシング５１に対する回転止めをしっかりと行うことができる。また、本実施形態のキャップ５２は縦リブ５２７を備えたものであるので、これらの縦リブ５２７を用いてキャップ５２を回転させることができるため、組み付け作業及び取り外し作業を行いやすい。
【００４０】
また、当接部５２５の周辺の大部分を切り欠いているため、キャップ５２を軽量化でき、燃費の向上に寄与することができる。さらに、切欠部５２６を形成したことによるキャップ５２の薄肉化によって、放熱性が向上し、潤滑油の過加熱を抑制することができる。したがって、オイル劣化を軽減でき、オイル交換の頻度を低下できるだけでなく、摺動部の耐摩擦性に影響を与える油膜形成を維持することが可能となる。
【００４１】
特に、本実施形態の切欠部５２６は、周方向の２箇所に、当該オイルフィルタ５の中心軸について略対称に形成されているので、前記ケーシング５１の開口端部５１５と前記キャップ５２の当接部５２５との間に作用する力が当該オイルフィルタ５の中心軸について略軸対称に作用し、キャップ５２をケーシング５１にスムーズに締め込むことができる。
【００４２】
次に、本発明の第２実施形態にかかるオイルフィルタについて、図７及び図８を用いて説明する。なお、第１実施形態と同一または対応する部分には、同じ符号を付して詳細な説明を省略する。
【００４３】
本実施形態のオイルフィルタ５は、第１実施形態と同様のエレメント交換型オイルフィルタ５であって、内部にフィルタエレメント５３が挿入されたケーシング５１と、このケーシング５１に螺合するキャップ５２とを主体に構成されるものである。前記キャップ５２の外周と、端部が開口した円筒状をなすケーシング５１の内周との間に介在する位置には、潤滑油や空気等の流体の漏洩を抑制するシール部材５４が配されている。また、前記キャップ５２は、外周に、前記ケーシング５１に前記キャップ５２を組み付けた状態で前記ケーシング５１の開口端部５１５が当接する当接部５２５、及び、前記シール部材５４を嵌め込むための凹陥部５２４が設けられている。そして、本実施形態のオイルフィルタ５は、切欠部５１６が、前記キャップ５２の当接部５２５の周方向に沿って隣接して設けられる代わりに、前記ケーシング５１の開口端部５１５の少なくとも一部分に設けられている点が、第１実施形態と異なる。
【００４４】
詳述すれば、当接部５２５は、前記ケーシング５１の開口端部５１５と当接して回転止めする役割を果たすものであり、キャップ５２の全周にわたって、すなわち、円周に沿って連続的に設けられている。切欠部５１６は、ケーシング５１の開口端部５１５の２箇所を大きく切り欠いたものである。
【００４５】
すなわち、本実施形態では、ケーシング５１の開口端部５１５が、円周に沿って連続的に設けられるものではなく、対向する２箇所のみに形成されている。これら２箇所の開口端部５１５は、ケーシング５１の中心軸に対して軸対称に設けられている。当接部５２５は、キャップ５２の本体側と直交して外周方向に突出するフランジであり、前記ケーシング５１の開口端部５１５が係止され前記シール部材５４も載置可能な段差５２０が形成されている。しかして、キャップ５２の外周面５２１のねじ部５２２（雄ねじ）がケーシング５１のねじ部５１２（雌ねじ）に螺入されると、キャップ５２の当接部５２５（基端側の面である軸直交面）が、ケーシング５１の開口端部５１５（先端側の面である軸直交面）に着座して押圧した状態となる。
【００４６】
このようなものであれば、仮にシール部材５４を当接部５２５上に誤装着したままキャップ５２をケーシング５１に組み付けてしまった場合には、図８に示すように、ケーシング５１の切欠部５１６からシール部材５４がケーシング５１とキャップ５２との間で押し潰されることなく露出する。なお、図８では、わかりやすくするためにシール部材５４にパターンを付して示している。
【００４７】
すなわち、切欠部５１６からシール部材５４が露出するのでシール部材５４が視認可能となり、組付作業者にシール部材５４の誤装着を容易に気づかせることができる。また、この誤装着状態で試運転を行うと、ケーシング５１とキャップ５２との間からオイル漏れが生じる場合があり、シール部材５４の誤装着に関する不具合が検出されやすくなる。
【００４８】
このように、シール部材５４の誤装着を容易に気づかせることができるので、ケーシング５１とキャップ５２との間のシールを確実なものとでき、オイル漏れ等を抑制できるため、燃費を向上させることができる。
【００４９】
また、第１実施形態のものと同様に、従来のキャップに凸部を設けたものに比べて、誤装着されたシール部材５４が径方向に引き延ばされることがない。そのため、誤装着によるシール部材５４の損傷を有効に防止することができる。
【００５０】
さらに、ケーシング５１の開口端部５１５の大部分を切り欠いているため、ケーシング５１を軽量化でき、燃費の向上に寄与することができる。
【００５１】
特に、本実施形態の切欠部５１６は、周方向の２箇所に、当該オイルフィルタ５の中心軸について略対称に形成されているので、前記ケーシング５１の開口端部５１５と前記キャップ５２の当接部５２５との間に作用する力が当該オイルフィルタ５の中心軸について略軸対称に作用し、キャップ５２をケーシング５１にスムーズに締め込むことができる。
【００５２】
なお、本発明は以上に詳述した実施形態に限られるものではない。
【００５３】
例えば、切欠部を設ける箇所は、周方向の２箇所には限られず、種々変更可能であり、また、切欠部の形状も上述したものに限られないのはもちろんである。一例として、図９に示すような切欠部５２６であってもよい。この切欠部５２６は、キャップ５２の当接部５２５の周辺部分、具体的には、４箇所に配置された縦リブ５２７間の４箇所を、オイルフィルタ５の中心軸に平行な平面で切り欠いたものである。なお、図９では、従来の段差部分を形成していたフランジ（本実施形態で切り欠かれている部分）を二点鎖線で示している。このようなものであっても、上述した実施形態と同一またはこれに準じた効果が得られ、さらに、切欠部５２６を比較的簡素な構成で形成することができる。
【００５４】
上述した実施形態では、ケーシングの内周内にキャップの外周を挿入して螺着されるものを説明したが、これとは逆に、ケーシングの外周にキャップの内周を外嵌して螺着されるものであってもよい。具体的には、オイルフィルタが、内部にフィルタエレメントが挿入されたケーシングと、このケーシングに螺合するキャップと、前記ケーシングの外周と端部が開口した円筒状をなすキャップの内周との間に介在する位置に配され流体の漏洩を抑制するシール部材と、前記ケーシングの外周に設けられ、前記ケーシングに前記キャップを組み付けた状態でキャップの開口端部が当接する当接部、及び、前記シール部材を嵌め込むための凹陥部と、前記ケーシングの当接部の周方向に沿って隣接し、または、前記キャップの開口端部の少なくとも一部分に設けられ、前記ケーシングに前記キャップを組み付けた状態で互いに当接しないように切り欠かれている切欠部とを備えてなるものが考えられる。
【００５５】
また、第１実施形態では、当接部が、縦リブのケーシング側の面と、この面に連続し縦リブから側方に伸びる鍔部のケーシング側の面とによって構成されるようにしていたが、縦リブのケーシング側の面のみによって当接部を構成するようにしてもよい。
【００５６】
シール部材は、Ｏリングに限られず、他の断面形状をなすリング状のシール部材等であってもよい。
【００５７】
キャップは、縦リブを備えていないものであってもよい。
【００５８】
上述した実施形態では、オイルフィルタがブラケットを介して内燃機関側に取り付けられるものであったが、ブラケットを介さずに直接内燃機関に取り付けられるものであってもよい。
【００５９】
その他各部の具体的構成は、本発明の趣旨を逸脱しない範囲で種々変形が可能である。
【産業上の利用可能性】
【００６０】
本発明は、車両に搭載される内燃機関を循環する潤滑油の異物等を濾過するオイルフィルタに適用できる。
【符号の説明】
【００６１】
５１…ケーシング
５１５…開口端部
５１６…切欠部
５２…キャップ
５２４…凹陥部
５２５…当接部
５２６…切欠部
５３…フィルタエレメント
５４…シール部材
【図１】
2015040544.tif 000003
【図２】
2015040544.tif 000004
【図３】
2015040544.tif 000005
【図４】
2015040544.tif 000006
【図５】
2015040544.tif 000007
【図６】
2015040544.tif 000008
【図７】
2015040544.tif 000009
【図８】
2015040544.tif 000010
【図９】
2015040544.tif 000011